(57)【要約】【課題】突起状の糸底がなくても安定して置いたり積み重ねたりできる容器であって、使用者において片手で持ちながら他方の手で蓋を開ける際に持ち手に強い刺激が加わらなく、また、汁物や練り物であっても残りを完全に掬い取れる密閉式重ね容器を提供する。【解決手段】相互に密嵌するようプラスチックで成形された身と蓋とからなり、身に中央部が高くなる湾曲上底壁を形成することにより、その周囲に、傾斜する側壁と湾曲上底壁とがアールに連続してなる丸み断面の環状凸縁底を糸底の代わりとして設け、蓋については▲１▼　段差により落ち込む凹所を、身の環状凸縁底が嵌まるように形成したこと、▲２▼　身の湾曲上底壁が嵌まる蓋壁凸面部を形成したことである。【選択図】　　図１
2004136959.tif 000002
【特許請求の範囲】
【請求項１】
相互に密嵌するようプラスチックで成形された身と蓋とからなり、身に中央部が高くなる湾曲上底壁を形成することにより、その周囲に、傾斜する側壁と湾曲上底壁とがアールに連続してなる丸み断面の環状凸縁底を糸底の代わりとして設け、蓋には段差により落ち込む凹所を、身の環状凸縁底が嵌まるように形成したことを特徴とする密閉式重ね容器。
【請求項２】
相互に密嵌するプラスチックで成形された身と蓋とからなり、身に中央部が高くなる湾曲上底壁を形成することにより、その周囲に、傾斜する側壁と湾曲上底壁とがアールに連続してなる丸み断面の環状凸縁底を糸底の代わりとして設け、蓋には身の湾曲上底壁が嵌まる蓋壁凸面部を形成したことを特徴とする密閉式重ね容器。
【請求項３】
身と蓋とのいずれか一方を軟質または半硬質プラスチックで、他方を硬質プラスチックでそれぞれ成形して開蓋防止装置を備え、その開蓋防止装置については、軟質または半硬質プラスチックで形成した身または蓋に、他方に対して脱出不能に結合する帯巻片を巻き方向に沿って切取り可能に形成し、帯巻片の一端にその切取りの手始めとしての切断をなすための切溝を切口つなぎと共に形成し、切溝の近くに切口つなぎを切る力を加え得るように切取り用の摘みを突設したことを特徴とする請求項１または２記載の密閉式重ね容器。
【発明の詳細な説明】
【０００１】
【発明の属する技術分野】
この発明は、食品を詰めて販売または保存するする際に積み重ね形態を取り得る身と蓋とからなるプラスチック製の密閉式重ね容器に関する。
【０００２】
【従来の技術】
プラスチック製の密閉式重ね容器は、加工食品の販売のために多用され、また、家庭では料理した食品の保存のために常用される。この使用上から、食品の汁漏れと品質保持のために極力密閉した構造になされ、また、どこにでも安定して置いたり積み重ねができるように、身の底面に糸底を設け、蓋の上面に糸底が掛かる広い凹所または環状凹溝が形成される。
【０００３】
密閉構造については、基本的に、身と蓋との結合を突条と溝条との弾性結合によりなされる。さらに、販売のために使用する形態には、中途で不正に蓋を開けられないように、消費者が開けるまでロック状態が保持される開蓋防止装置付きとなされることがある。その例としては、この出願人に係る特願平７−１１３９５８号（特開平７−１１３９５８号公報）において提案したものを挙げることができる。
【０００４】
【発明が解決しようとする課題】
上記のような従来の密閉式重ね容器によれば、糸底が広い凹所または環状凹溝に掛かるために安定した積み重ねができ、また、テーブル上に安定して置くことができるが、蓋を開けるときには、水密性のための突条と凹溝との弾性結合を解く必要から、片手で身と蓋とを同時に摘むように持ちながら、他方の手で蓋を一端から捲り上げるような操作を時に、挟み持つ手に糸底が強く当たることになるので、痛みを覚えるという程ではないにしても、快適性に反するような刺激を受けることになる。殊に、開蓋防止装置付きであると、そのロック解除操作のために特に強く持つ関係で糸底が当たる刺激が強かった。
【０００５】
また、多くの容器に見られるように、底が平らであったが、特に汁物や練り物の食品を入れた場合に、少なくなった残りをスプーンでさらえる時には、広い底に均等にスプーンを回し動かす必要があり、しかも、そうしても集まりが悪いために、最後の残りまでを取り出すことが困難であった。
【０００６】
この発明は、上記のような実情に鑑みて、突起状の糸底がなくても安定して置いたり積み重ねたりできる容器であって、使用者において片手で持ちながら他方の手で蓋を開ける際に持ち手に強い刺激が加わらなく、また、汁物や練り物であっても残りを完全に掬い取れる密閉式重ね容器を提供することを目的とした。
【０００７】
【課題を解決するための手段】
上記の目的を達成するために、この発明は、相互に密嵌するようプラスチックで成形された身と蓋とからなり、身に中央部が高くなる湾曲上底壁を形成することにより、その周囲に、傾斜する側壁と湾曲上底壁とがアールに連続してなる丸み断面の環状凸縁底を糸底の代わりとして設け、蓋については、
▲１▼　段差により落ち込む凹所を、身の環状凸縁底が嵌まるように形成したこと（請求項１）、
▲２▼　身の湾曲上底壁が嵌まる蓋壁凸面部を形成したこと（請求項２）、
上記▲１▼または▲２▼である密閉式重ね容器を提供するものである。
【０００８】
【作用】
上記の構成によれば、身には環状凸縁底が形成されており、テーブル等の上に置いたときに、これが糸底の役目を果たし、安定することはもちろん、テーブル面に密着する不都合はない。積み重ねについては、身の環状凸縁底または湾曲上底壁が下の容器の蓋の凹所または蓋壁凸面部に嵌まるため、ずれないように積み重ねが安定して保持される。また、蓋を開閉する際に手に強く持っても、環状凸縁底がアール面であるためにそれで刺激を受けることはなく、却って、それに手を掛けて安定して把持できる。さらに、身の中が周囲において環状に低くなっているので、中身の食品が残り少なくなっても、周囲に沿ってスプーンを撫でることにより最後まで容易に取り出すことができる。
【０００９】
【発明の実施の形態】
この発明においては、身１に湾曲上底壁３を形成することにより糸底に代わる環状凸縁底７を設け、蓋２に凹所８または蓋壁凸面部２７を設けることにより、上記作用を奏するようにしたものであるから、容器の平面的形状については特に限定するものではなく、その例としては、円形、楕円形、四角形、六角形、八角形などの多角形、さらには、円形に近い多角形などが挙げられ、図３は円形に近い四角形を示す。しかし、糸底に代わる環状凸縁底７は、周囲から入り込んだ箇所に一回り小さい環状に設ける必要から、身１の側壁５は傾斜している必要がある。
【００１０】
また、開蓋防止装置Ｔの有無は特に問題とするものではない。したがって、単に家庭で料理を冷蔵庫に保管し、弁当などとして持ち出すために使用する形態では開蓋防止装置Ｔは必要がない。しかし、開蓋防止装置Ｔがあるときにおいては（請求項３、実施例）、解除操作のために持ち手が底に特に強く掛かるけれども、環状凸縁底７が丸みをおびているために、突起状の糸底がある場合とは違って痛みを覚えることがないという点で、丸みのある環状凸縁底７が特に有効に作用する。なお、開蓋防止装置Ｔの構造については、実施例では２例を示したが、その他に種々の形態があり得る。
【００１１】
【発明の効果】
以上説明したように、この発明の密閉式重ね容器によれば、身には突起状の糸底に代わるものとして丸みのある環状凸縁底を有するので、片手で持ちながら他方の手で蓋を開閉する際に持ち手に強い刺激が加わらなく快適に使用でき、また、その環状凸縁底または湾曲上底壁を蓋の凹所または蓋壁凸面部に保持して安定した積み重ねることができ、さらに、汁物であっても都合良く残りを完全に掬い取れるため、無駄が生じないよう使用できるという優れた効果がある。
【００１２】
【実施例】
次に、この発明の実施例を図面に基づいて説明する。
【００１３】
図面は、加工食品を詰めて販売するために使用する容器として実施した２例を示したもので、その密閉式重ね容器Ｐａ，Ｐｂは、透明なプラスチックで成形された身１と蓋２とからなり、平面的には正四角形の各辺が膨出して円形に近くなったアールに形成される。
【００１４】
図１ないし図４は、請求項１の発明についての一例の密閉式重ね容器Ｐａを示したもので、身１が半硬質プラスチックで、蓋２が硬質プラスチックでそれぞれ成形される。そして、身１は、底壁３が底上げに湾曲して形成されることにより、傾斜する側壁５と湾曲上底壁３との間に丸みを帯びたアール断面の環状凸縁底７を有し、それが側壁５の傾斜により内側に入り込んだ位置に形成される。また、蓋２は、周縁近くの段差９の屈折により広く凹所８が設けてあり、上の容器Ｐａの身１が環状凸縁底７で凹所８に嵌まり、段差９にずれないように掛かるようになっている。したがって、凹所８は、環状凸縁底７の沿った環状であっても良い。
【００１５】
身１と蓋２とは汁が漏れないように密嵌するように形成されるが、販売の中途において不正に開けられないように、密嵌構造と共に開蓋防止装置Ｔの構造が取られる。これについては、身１では上端に起立口部壁１１を形成し、その下端に突条１３を突設し、突条１３に切取り薄肉部１４を介してバンド状の帯巻片１５が間隔をおいて起立口部壁１１と並列に設けられる。帯巻片１５の一端には、それを切断する切溝１６を下端縁から反時計回りに高く斜めに形成するとともに、下端に細い切口つなぎ１８を形成し、反時計回りに隣接して舌片状の摘み１７が突設される。
【００１６】
また、蓋２には身１の起立口部壁１１と帯巻片１５との間に嵌入する垂下周壁１９と、起立口部壁１１の内側に接合する内周突条２１とが垂設され、帯巻片１５に上下二段に掛止溝条２３，２４を設け、垂下周壁１９にはその掛止溝条２３，２４に密嵌する係合凸条２５，２６が形成される。そこで、摘み１７を操作して帯巻片１５を切り取れば（図４参照）、掛止溝条２３，２４と係合凸条２５，２６との結合が解除されるために、以後開蓋防止装置の機能がなくなって蓋２を自由に開閉できる。
【００１７】
図５および図６は、請求項２の発明についての一実施例を示したもので、その密閉式重ね容器Ｐｂは、身１については、前記実施例と同様に底壁３を中心部に高く湾曲して形成することにより、周囲に環状凸縁底７が設けられるが、蓋２については、その環状凸縁底７の湾曲上底壁３に丁度納まるように、蓋壁の中央部が湾曲して盛り上がるように蓋壁凸面部２７が形成される。
【００１８】
開蓋防止装置Ｔについては、前記実施例とは違って、切り取る帯巻片１５を蓋２において形成した関係で、蓋２を切取りやすい素材の軟質プラスチックで形成し、身１を硬質プラスチックで形成した。そして、身１の上端に起立口部壁１１を形成し、その外周側に上下に係合凸条２５，２６を形成し、それよりも下に蓋２を不正に開けようとすると指が支える障害突条２９が突設される。蓋２には、この障害突条２９に近接するまで垂下周壁１９を突設する他、起立口部壁１１の内側に密着する内周突条２１が垂設され、垂下周壁１９に掛止溝条２３，２４が形成される。
【００１９】
上下掛止溝条２３，２４のうち、上段掛止溝条２３が逆止爪に形成されているので、蓋２が開かないように強く掛止される。そして、この引き止めによって、内周突条２１が身１の内周に形成される段部３０に密着して付き合うようになっており、これによっても水密性が確保される。
【００２０】
開蓋防止装置Ｔの解除については、この垂下周壁１９を上段の掛止溝条２３で切り取るようにしたもので（鎖線２０がその切取り位置を示す）、したがって、垂下周壁１９のうち切り取る掛止溝条２３以下が帯巻片１５となるもので、その一端に舌片状の摘み１７と、切溝１６と切口つなぎ１８が形成される。そこで、開封後の身１においては、垂下周壁１９の上端部が残ることになり、それと内周突条２１とで身１の起立口部壁１１を挟むことにより水密性が確保される。
【図面の簡単な説明】
【図１】請求項１に係る発明の密閉式重ね容器を重ね状態で示す正面から見た断面図である。
【図２】図１のＡ部の拡大断面図である。
【図３】同密閉式重ね容器の平面図である。
【図４】同密閉式重ね容器の身と蓋との結合部において開蓋防止装置を解除した状態を示す断面図である。
【図５】請求項２に係る発明の密閉式重ね容器を重ね状態で示す正面から見た断面図である。
【図６】図５のＢ部の拡大断面図である。
【符号の説明】
Ｐａ，Ｐｂ　密閉式重ね容器
Ｔ　開蓋防止装置
１　身
２　蓋
３　湾曲上底壁
５　側壁
７　環状凸縁底
８　凹所
９　段差
１１　起立口部壁
１５　帯巻片
１６　切溝
１７　摘み
１８　切口つなぎ
２７　蓋壁凸面部
【図１】
2004136959.tif 000003
【図２】
2004136959.tif 000004
【図３】
2004136959.tif 000005
【図４】
2004136959.tif 000006
【図５】
2004136959.tif 000007
【図６】
2004136959.tif 000008